(57)【特許請求の範囲】
【請求項１】
投写型表示装置本体の底面に着脱可能に接合されるバッテリー部であって、
前記投写型表示装置本体と係合するために上面に設けられた係合部と、
前記投写型表示装置本体に接合された際に、前記投写型表示装置本体の底面に設けられた伸縮自在な本体脚部の底面に当接する受け台と、
前記受け台を前記本体脚部に当接する方向に付勢する弾性体と、
前記本体脚部の伸縮に応じて前記受け台と一体的に移動し、底面より可変に突出するバッテリー脚部と、
を有するバッテリー部。
【請求項２】
前記投写型表示装置本体との接合は、前記上面を前記投写型表示装置本体の底面に当接しスライドすることにより行われ、
前記受け台は、前記接合過程において前記本体脚部に当接し始める部位に傾斜面を有する請求項１に記載のバッテリー部。
【請求項３】
底面においてバッテリー部を着脱自在に接合可能な投写型表示装置本体であって、
前記底面に設けられ、前記バッテリー部の上面と当接しスライドすることにより、前記バッテリー部の上面に設けられた係合部と係合し固定される係合受け部と、
前記固定時に前記バッテリー部に設けられた上下方向に移動可能な受け台と当接可能な位置に設けられ、下部方向に伸縮自在な本体脚部と、
を備える投写型表示装置本体。
【請求項４】
請求項１または請求項２に記載のバッテリー部と、
請求項３に記載の投写型表示装置本体と、
を備えてなる投写型表示装置。
【発明の詳細な説明】
【技術分野】
【０００１】
本発明は、投写型表示装置本体と、その底面に備えられるバッテリー部と、それらを備えた投写型表示装置に関し、特にその投影角度調整機構に関する。
【背景技術】
【０００２】
バッテリー部を投写型表示装置本体の底面に装着するタイプの投写型表示装置について、投写型表示装置本体底面の投映角度調整機構がバッテリー部によって覆われ、投映角度調整の機能を失う構成になるのを避けるため、従来はバッテリー部の底面に投写型表示装置本体とほぼ同様の投映角度調整機構を備える構成であった。しかし、同時に使用されることはないにもかかわらず同様の機構を２つ備える必要があり、コストが上昇するといった課題があった。
【０００３】
この改善策として、バッテリー部と投写型表示装置本体とを回動可能に接合することにより、机上に水平に置かれたバッテリー部に対して投写型表示装置本体の角度を調整できる構成が、例えば特許文献１に示されている。
【０００４】
【特許文献１】特開平６−８２７６５号公報（第８頁、図１７）
【発明の開示】
【発明が解決しようとする課題】
【０００５】
しかしながら、上記文献のような構成においては、バッテリー部と投写型表示装置本体との電気的な接点部分も回動できる構成にしなければならず、機構的に複雑な構成になってしまい、信頼性の低下やコストが高価なものになるという課題があった。
【０００６】
本発明は、上述のような課題を解消するためになされたもので、複雑な機構による信頼性の低下やコストの上昇を抑え、かつ投写型表示装置本体の底面に装着した際にも投映角度の調整が可能なバッテリー部と、それを装着する投写型表示装置本体と、それらを備えた投写型表示装置を得る事を目的とする。
【課題を解決するための手段】
【０００７】
本発明に係るバッテリー部は、投写型表示装置本体の底面に着脱可能に接合されるバッテリー部であって、投写型表示装置本体と係合するために上面に設けられた係合部、投写型表示装置本体に接合された際に投写型表示装置本体の底面に設けられた伸縮自在な本体脚部の底面に当接する受け台、受け台を本体脚部に当接する方向に付勢する弾性体、本体脚部の伸縮に応じて受け台と一体的に移動し底面より可変に突出するバッテリー脚部を備えて構成される。
【０００８】
本発明に係る投写型表示装置本体は、底面においてバッテリー部を着脱自在に接合可能な投写型表示装置本体であって、底面に設けられ、バッテリー部の上面と当接しスライドすることによりバッテリー部の上面に設けられた係合部と係合し固定される係合受け部、固定時にバッテリー部に設けられた上下方向に移動可能な受け台と当接可能な位置に設けられ、下部方向に伸縮自在な本体脚部を備えて構成される。
【０００９】
本発明に係る投写型表示装置は、前記バッテリー部、前記投写型表示装置本体を備えて構成される。
【発明の効果】
【００１０】
本発明の効果として、バッテリー部は投写型表示装置本体の脚部の伸縮動作に連動して伸縮する投映角度調整機構を備えているため、バッテリー部を装着した際にもバッテリー部が非装着のときと同じように、投写型表示装置本体の投映角度調整機構によって簡単な操作で投映角度調整を行う事が可能であり、投映角度も投写型表示装置本体の投映角度と同じ条件で設定することが可能となる。また、バッテリー部装着時の投映角度調整機構について、電気的な接点部分における回動部は無く、簡単な構成で実現可能であり、信頼性の低下やコストの上昇を抑える事が可能である。
【発明を実施するための最良の形態】
【００１１】
以下、この発明をその実施の形態を示す図面に基づいて具体的に説明する。
【００１２】
＜実施の形態１＞
（構成）
本実施の形態に係る投写型表示装置の構成を説明する。図１は、投写型表示装置本体１０１の構成を示す斜視図である。
【００１３】
投写型表示装置本体１０１は本体筐体１を備える。本体筐体１は前面に投写レンズ２を備え、本体筐体１の底面の前方左右には、下部方向に伸縮自在に配置された投映角度調整機構としての本体脚部３ａ，３ｂが備えられる。本体脚部３ａ，３ｂは、後述するバッテリー部１０２に設けられた上下方向に移動可能な受け台１３ｃ，１３ｄと当接可能な位置に設けられる。また、本体筐体１の底面後方には、本体脚部３ａ，３ｂと等距離の位置に本体固定脚部４が設置され、その横には本体側バッテリー接続端子５が形成される。また、底面の中央左右にはバッテリー部１０２を装着する際の係合穴（係合受け部）６ａ，６ｂが形成される。係合穴６ａ，６ｂはバッテリー部１０２の上面と当接しスライドすることにより、後述するバッテリー部１０２の上面に設けられた爪部１２ａ，１２ｂと係合し固定される。
【００１４】
図４は、本実施の形態に係るバッテリー部１０２を示す斜視図である。バッテリー部１０２は、投写型表示装置本体１０１の底面に着脱可能に接合される構成となっている。
【００１５】
バッテリー部１０２はバッテリーケース１１を備え、バッテリーケース１１は、電池（バッテリー）を内蔵している。バッテリーケース１１は、本体筐体１の係合穴６ａ，６ｂにそれぞれ係合する爪部（係合部）１２ａ，１２ｂを上面に備える。また、バッテリーケース１１の底面の前方左右にはバッテリー脚部１３ａ，１３ｂが配置され、バッテリーケース１１に対して上下にスライド可能に保持されている。
【００１６】
バッテリー脚部１３ａ，１３ｂの上方には、バッテリー部１０２が投写型表示装置本体１０１に接合された際に、本体脚部３ａ，３ｂの底面に当接する受け台１３ｃ，１３ｄと、バッテリー脚部１３ａ，１３ｂおよび受け台１３ｃ，１３ｄ間の連結棒に巻回され、受け台１３ｃ，１３ｄを本体脚部３ａ，３ｂに当接する方向に付勢するバネ（弾性体）１４ａ，１４ｂが設置される。
【００１７】
バッテリー脚部１３ａ，１３ｂは、本体脚部３ａ，３ｂの伸縮に応じ受け台１３ｃ，１３ｄと一体的に移動し、バッテリー部１０２の底面より可変に突出される。バッテリー脚部１３ａ，１３ｂ、受け台１３ｃ，１３ｄ、バネ１４ａ，１４ｂによって、バッテリー側投映角度調整機構１０５が構成される。また、バッテリーケース１１の上面後方には、本体固定脚部４を収納するための長穴１６が形成され、その横にはバッテリー側バッテリー接続端子１５が形成される。
【００１８】
図５はバッテリー部１０２の側面図である。バッテリーケース１１の底面後方には、投写型表示装置本体１０１と同様に、バッテリー脚部１３ａ，１３ｂから等距離の位置に配置されたバッテリー固定脚部１７が形成される。
【００１９】
図６は、バッテリー部１０２が投写型表示装置本体１０１に装着される際の斜視図である。バッテリー部１０２の上面と投写型表示装置本体１０１の底面を当接しスライドすることにより、係合穴６ａ，６ｂは爪部１２ａ，１２ｂと係合し固定される。このとき、バッテリー部１０２の受け台１３ｃ，１３ｄは、投写型表示装置本体１０１の本体脚部３ａ，３ｂの底面に当接して配置される。投写型表示装置本体１０１とバッテリー部１０２によって投写型表示装置１０３は構成される。
【００２０】
（動作）
以上のような構成の投写型表示装置における、主に脚部の動作について説明する。
【００２１】
まず、バッテリー部１０２が装着されていない、すなわち投写型表示装置本体１０１のみで構成された場合について説明を行う。
【００２２】
図２は投写型表示装置本体１０１の側面図である。本体脚部３ａ，３ｂは最も縮んだ状態を示し、投写型表示装置本体１０１は設置面７に対して略平行な水平状態の姿勢となっている。投写型表示装置本体１０１を、図示しない外部からの電源供給で動作させる場合は、図２のようにバッテリー部１０２を装着しない状態で使用される。
【００２３】
図３は、本体脚部３ａ，３ｂを高さＢになるまで伸ばして、設置面７に対して投写レンズ２側が上方に角度Ｄだけ傾斜した姿勢を示した側面図である。投写レンズ２から投映される映像を所望の高さにシフトする場合は、本体脚部３ａ，３ｂの突出量を調整して行う。このときの角度Ｄは、本体脚部３ａ，３ｂの中間点から本体固定脚部４までの距離Ａと、本体脚部３ａ，３ｂの高さＢ、本体固定脚部４の高さＣから以下の数式（１）によって表される。
Ｄ＝ｔａｎ-1（（Ｂ−Ｃ）／Ａ）  ・・・（１）
また、図示しないが本体脚部３ａ，３ｂの突出量を個別に調整すれば、投写型表示装置本体１０１の左右の傾斜を調整することも可能である。
【００２４】
次に、バッテリー部１０２を投写型表示装置本体１０１に装着する場合の、主に脚部の動作について説明する。
【００２５】
装着する際は、図６に示すように投写型表示装置本体１０１の後方から前方に向けてバッテリー部１０２を密着させながらスライドさせ、本体筐体１の係合穴６ａ，６ｂにバッテリー部１０２の爪部１２ａ，１２ｂがそれぞれ係合されるとともに、本体側バッテリー接続端子５とバッテリー側バッテリー端子１５が電気的に接続されて、バッテリー部１０２から投写型表示装置本体１０１に電源が供給される。
【００２６】
図７は投写型表示装置本体１０１にバッテリー部１０２が装着された状態を示した側面図であり、本体脚部３ａ，３ｂは最も縮んだ状態を示す。このとき、バッテリー脚部１３ａ，１３ｂの受け台１３ｃ，１３ｄは、それぞれ本体脚部３ａ，３ｂにバネ１４ａ，１４ｂの付勢力により当接するが、バッテリー脚部１３ａ，１３ｂは設置面７に略平行になるように配置されており、投写型表示装置１０３は設置面７に対して略平行な水平状態の姿勢となる。
【００２７】
次に、投写型表示装置１０３を傾斜させ、投写レンズ２から投映される映像を所望の高さにシフトする場合は、図８に示すように本体脚部３ａ，３ｂを伸ばすことで、受け台１３ｃ，１３ｄが本体脚部３ａ，３ｂに当接した状態で連動し、バッテリー脚部１３ａ，１３ｂはバッテリーケース１１の底面から本体脚部３ａ，３ｂと同じ高さＢだけ伸びる。図９はこの状態における投写型表示装置１０３の斜視図を示す。
【００２８】
本体脚部３ａ，３ｂおよび本体固定脚部４の位置関係と、バッテリー脚部１３ａ，１３ｂおよびバッテリー固定脚部１７の位置関係は同じ条件で設定されているので、投写型表示装置本体１０１を傾斜させるときと同じく角度Ｄは、バッテリー脚部１３ａ，１３ｂの中間点からバッテリー固定脚部１７までの距離Ａと、バッテリー脚部１３ａ，１３ｂの高さＢ、バッテリー固定脚部１７の高さＣから、前記数式（１）によって表される。
【００２９】
（効果）
本発明の効果として、本体脚部３ａ，３ｂの伸縮動作に連動して伸縮するバッテリー側投映角度調整機構１０５をバッテリー部１０２に備えたため、バッテリー部１０２を装着した場合についても、バッテリー部１０２が非装着のときと同じように、本体脚部３ａ，３ｂの簡単な操作で投映角度調整を行う事が可能であり、投映角度も投写型表示装置本体１０１の投映角度と同じ条件で設定することが可能となる。また、バッテリー側投映角度調整機構１０５について、電気的な接点部分における回動部は無く、簡単な構成で実現可能であり、信頼性の低下やコストの上昇を抑える事が可能である。
【００３０】
＜実施の形態２＞
（構成）
図１０は、本実施の形態に係るバッテリー部１０４の構成を示す斜視図である。
【００３１】
実施の形態１と同様に、バッテリー脚部１３ａ，１３ｂの上方には、本体脚部３ａ，３ｂの底面に当接する受け台１３ｅ，１３ｆを備えるが、本実施の形態においては、受け台１３ｅ，１３ｆは前面側に傾斜面を有する。すなわち、受け台１３ｅ，１３ｆは、爪部１２ａ，１２ｂが係合穴６ａ，６ｂと係合する過程において本体脚部３ａ，３ｂに当接し始める部位に傾斜面を有する。
【００３２】
その他の構成は実施の形態１と同様であるため、ここでの詳細な説明は省略する。
【００３３】
（動作）
次に、バッテリー部１０４を投写型表示装置本体１０１に装着する場合の、主に脚部の動作について説明する。
【００３４】
図１１は、投写型表示装置本体１０１にバッテリー部１０４を装着する際の側面図であり、投写型表示装置本体１０１の底面側とバッテリー部１０４の上面側を密着させながら、バッテリー部１０４を前方にスライドさせている状態を示している。
【００３５】
図１１では、本体脚部３ａ，３ｂが伸びた状態で装着されており、本体脚部３ａ，３ｂが受け台１３ｅ，１３ｆの傾斜面に当接した後、受け台１３ｅ，１３ｆは傾斜面により本体脚部３ａ，３ｂに当接しながら下方にスライドする。バッテリー脚部１３ａ，１３ｂは受け台１３ｅ，１３ｆと一体で下方にスライドし、バッテリー部１０４の底面からの突出量が変化し、投写型表示装置１０３の投映角度も変化する。
【００３６】
（効果）
上記のように本実施の形態によれば、投写型表示装置本体１０１は使用時の投映角度のまま、すなわち本体脚部３ａ，３ｂが伸びた状態でバッテリー部１０４を装着することが可能であり、傾斜面の高さＥを本体脚部３ａ，３ｂの調整範囲以上に設定すれば、投写型表示装置本体１０１がどのような投映角度で使用されていたとしても、バッテリー部１０４をスムーズに装着でき、装着後も同じ投映角度で引き続き使用することが可能である。
【図面の簡単な説明】
【００３７】
【図１】この発明の実施の形態１に係る投写型表示装置本体を示す斜視図である。
【図２】この発明の実施の形態１に係る投写型表示装置本体を示す側面図である。
【図３】この発明の実施の形態１に係る投写型表示装置本体の投映角度調整時の状態を示す側面図である。
【図４】この発明の実施の形態１に係るバッテリー部を示す斜視図である。
【図５】この発明の実施の形態１に係るバッテリー部を示す側面図である。
【図６】この発明の実施の形態１に係るバッテリー部の装着を示す斜視図である。
【図７】この発明の実施の形態１に係る投写型表示装置の側面図である。
【図８】この発明の実施の形態１に係る投写型表示装置の投映角度調整時の側面図である。
【図９】この発明の実施の形態１に係る投写型表示装置の斜視図である
【図１０】この発明の実施の形態２に係るバッテリー部を示す斜視図である。
【図１１】この発明の実施の形態２に係るバッテリー部の装着を示す側面図である。
【符号の説明】
【００３８】
１  本体筐体、２  投写レンズ、３ａ，３ｂ  本体脚部、４  本体固定脚部、５  本体側バッテリー接続端子、６ａ，６ｂ  係合穴、７  設置面、１１  バッテリーケース、１２ａ，１２ｂ  爪部、１３ａ，１３ｂ  バッテリー脚部、１３ｃ，１３ｄ，１３ｅ，１３ｆ  受け台、１４ａ，１４ｂ  バネ、１５  バッテリー側バッテリー接続端子、１６  長穴、１７  バッテリー固定脚部、１０１  投写型表示装置本体、１０２，１０４  バッテリー部、１０３  投写型表示装置、１０５  バッテリー側投映角度調整機構、Ａ  距離、Ｂ，Ｃ，Ｅ  高さ、Ｄ  角度。
【図１】
0004789893.tif 000002
【図２】
0004789893.tif 000003
【図３】
0004789893.tif 000004
【図４】
0004789893.tif 000005
【図５】
0004789893.tif 000006
【図６】
0004789893.tif 000007
【図７】
0004789893.tif 000008
【図８】
0004789893.tif 000009
【図９】
0004789893.tif 000010
【図１０】
0004789893.tif 000011
【図１１】
0004789893.tif 000012